(57)【特許請求の範囲】
【請求項１】
冷蔵庫に組み込まれる制御用電気部品が冷蔵庫の制御用電気部品収納室を覆う金属製のカバーに直接もしくは高熱伝導性物質を介して接触するように配置され、前記カバーを前記制御用電気部品の放熱板として使用することを特徴とする冷蔵庫。
【請求項２】
前記カバーの外表面に凹凸が形成されていることを特徴とする請求項１に記載の冷蔵庫。
【請求項３】
前記制御用電気部品がねじ等の締結手段によって前記カバーに固定されていることを特徴とする請求項１又は２に記載の冷蔵庫。
【請求項４】
前記制御用電気部品が前記カバーに形成された係止片により前記カバーに固定されていることを特徴とする請求項１又は２に記載の冷蔵庫。
【請求項５】
前記制御用電気部品が弾性脚体を備えた電気配線基板に搭載され、前記制御用電気部品が前記弾性脚体の弾性変形による反発力により前記カバーに押し付けられることを特徴とする請求項１又は２に記載の冷蔵庫。
【請求項６】
前記制御用電気部品が前記カバーに固定され、前記制御用電気部品あるいは前記制御用電気部品を搭載した電気配線基板が他の電気部品あるいは他の電気配線基板とリード線などの導通接続部品により導通接続されることを特徴とする請求項１又は２に記載の冷蔵庫。
【請求項７】
前記制御用電気部品が弾性を有する導電性脚体を備えた電気配線基板に搭載され、前記導電性脚体によって他の電気配線基板と導通接続されると共に、前記制御用電気部品が前記導電性脚体の弾性変形による反発力により前記カバーに押し付けられることを特徴とする請求項１又は２に記載の冷蔵庫。
【発明の詳細な説明】
【０００１】
【発明の属する技術分野】
この発明は、冷蔵庫に関し、特に、冷蔵庫に組み込まれる制御用電気部品の放熱構造に関するものである。
【０００２】
【従来の技術】
図１０は、従来の冷蔵庫の制御用電気配線基板の配置部を示している。従来の冷蔵庫においては、制御用電気部品１００を搭載した制御用電気配線基板１０１を収納する制御用電気部品収納室１０２は、塵埃や水かかりなどを防ぐために、冷蔵庫１１０の本体側の板金部分１１１と金属製のカバー１１２で覆われており、制御用電気配線基板１０１は、密閉状態に近い状態の制御用電気部品収納室１０２で、冷蔵庫１１０の本体側の板金部分１１１と金属製のカバー１１２のいずれにも触れないように、基板固定部材１１３によって冷蔵庫本体側に固定されている。動作発熱する制御用電気部品１００には、高温化防止のために、ヒートシンク１０３が取り付けられる。
【０００３】
他の従来例として、実開昭５８−６４７９２号公報に示されているように、発熱性の制御用電気部品や基板を収納するカバーと冷凍サイクルのサクションパイプとを熱交換関係に配置し、サクションパイプを流れる冷媒により制御用電気部品の冷却を行うよう構成された冷蔵庫がある。
【０００４】
【発明が解決しようとする課題】
冷蔵庫の制御用電気部品収納室は、密閉状態に近い状態であり、換気されないから、冷却が必要な制御用電気部品に大きいヒートシンクが取り付けられても、ヒートシンクは空気の循環が悪い制御用電気部品収納室内にあり、制御用電気部品の放熱を効率的に行うことができない。またヒートシンクと云う別部品が必要で、コストアップになる。
【０００５】
また、サクションパイプを流れる冷媒により制御用電気部品の冷却を行うものでは、制御用電気部品の配置位置に制限を与えたり、サクションパイプの取り廻しを複雑なものにし、既存タイプの冷蔵庫に大幅な設計変更を強いることになる。
【０００６】
この発明は、上述の如き問題点を解消するためになされたもので、ヒートシンク等の別部品を必要としたり、既存タイプの冷蔵庫に大幅な設計変更を強いることなく、制御用電気部品の放熱冷却が効率よく行われるよう改良された冷蔵庫を得ることを目的としている。
【０００７】
【課題を解決するための手段】
上述の目的を達成するために、この発明による冷蔵庫は、冷蔵庫に組み込まれる制御用電気部品が冷蔵庫の制御用電気部品収納室を覆う金属製のカバーに直接もしくは高熱伝導性物質を介して接触するように配置され、前記カバーを前記制御用電気部品の放熱板として使用するものである。
【０００９】
つぎの発明による冷蔵庫は、前記カバーの外表面に凹凸が形成されているものである。
【００１１】
つぎの発明による冷蔵庫は、前記制御用電気部品がねじ等の締結手段によって前記カバーに固定されているものである。
【００１２】
つぎの発明による冷蔵庫は、前記制御用電気部品が前記カバーに形成された係止片により前記カバーに固定されているものである。
【００１３】
つぎの発明による冷蔵庫は、前記制御用電気部品が弾性脚体を備えた電気配線基板に搭載され、前記制御用電気部品が前記弾性脚体の弾性変形による反発力により前記カバーに押し付けられるものである。
【００１４】
つぎの発明による冷蔵庫は、前記制御用電気部品が前記カバーに固定され、前記制御用電気部品あるいは前記制御用電気部品を搭載した電気配線基板が他の電気部品あるいは他の電気配線基板とリード線などの導通接続部品により導通接続されるものである。
【００１５】
つぎの発明による冷蔵庫は、前記制御用電気部品が弾性を有する導電性脚体を備えた電気配線基板に搭載され、前記導電性脚体によって他の電気配線基板と導通接続されると共に、前記制御用電気部品が前記導電性脚体の弾性変形による反発力により前記カバーに押し付けられるものである。
【００１６】
【発明の実施の形態】
以下に添付の図を参照して、この発明にかかる冷蔵庫の実施の形態を詳細に説明する。
【００１７】
実施の形態１．
図１、図２は、この発明による冷蔵庫の実施の形態１を示している。図１、図２において、１は冷蔵庫本体を、２は冷蔵庫本体１の背面部に制御用電気部品収納室３を画定する冷蔵庫本体側の板金を、４は制御用電気部品収納室３を覆蓋すべく冷蔵庫本体１に着脱可能に固定される金属製のカバーを、５は制御用電気部品６を搭載した制御用電気配線基板を、７は制御用電気配線基板５を冷蔵庫本体１に固定する基板固定部材をそれぞれ示している。
【００１８】
制御用電気部品６（以下、電気部品６と略称する）は、冷却する必要がある電気部品であり、制御用電気部品収納室３内においてアルミニウム板やシリコンラバー等の高熱伝導性物質８を介してカバー４と接触するように配置されている。
【００１９】
上述のように、制御用電気配線基板５が配置された冷蔵庫においては、冷却する必要のある電気部品６が高熱伝導性物質８を介してカバー４と接触していることで、カバー４全体を放熱板として使用することになり、電気部品６の熱をカバー４を通して外部に放出することができる。また、高熱伝導性物質８がシリコンラバーのように、柔軟性のある場合には、電気部品６とカバー４との密着性がよくなり、効果的な冷却を行うことができる。
【００２０】
この冷蔵庫では、ヒートシンクのような冷却部品を使用せずに電気部品６の冷却ができ、冷却部品の削減、冷却部品取付時のハンダの削減が可能となるため、リサイクルの面でも利点がある。
【００２１】
なお、電気部品６は高熱伝導性物質８を介さずに直接、カバー４と接触していてもよい。
【００２２】
実施の形態２．
図３は、この発明による冷蔵庫の実施の形態２を示している。この実施の形態では、冷却する必要のある電気部品６が高熱伝導性物質８を介して冷蔵庫本体１側の板金２と接触するように配置されている。
【００２３】
上述のように、制御用電気配線基板５が配置された冷蔵庫においては、冷却する必要のある電気部品６が高熱伝導性物質８を介して冷蔵庫本体１側の板金２と接触していることで、放熱面積の広い板金２を放熱板として使用することになり、電気部品６の熱を板金２を通して外部に放出することができる。また、高熱伝導性物質８がシリコンラバーのように、柔軟性のある場合には、電気部品６と板金２との密着性がよくなり、効果的な冷却を行うことができる。
【００２４】
この冷蔵庫でも、ヒートシンクのような冷却部品を使用せずに電気部品６の冷却ができ、冷却部品の削減、冷却部品取付時のハンダの削減が可能となるため、リサイクルの面でも利点がある。
【００２５】
なお、電気部品６は高熱伝導性物質８を介さずに直接、板金２と接触していてもよい。
【００２６】
実施の形態３．
図４は、この発明による冷蔵庫の実施の形態３を示している。この実施の形態では、ねじ等の締結部品９によって冷却する必要がある電気部品６がカバー４に固定されている。
【００２７】
これにより、電気部品６とカバー４との密着性を高めることができ、効果的な冷却を行うことができる。
【００２８】
なお、電気部品６が、実施の形態２のように、冷蔵庫本体１側の板金２と接触配置される場合には、電気部品６は締結部品９によって板金２に固定されればよい。
【００２９】
実施の形態４．
図５は、この発明による冷蔵庫の実施の形態４を示している。この実施の形態では、カバー４に係止片１０が形成され、係止片１０によって冷却する必要がある電気部品６がカバー４に固定されている。
【００３０】
これにより、他の締結部品を必要とすることなく電気部品６とカバー４との密着性を高めることができ、効果的な冷却を行うことができる。また、固定作業時の作業性の向上と、他の締結部品を削減できるためコスト低減が図られる。
【００３１】
実施の形態５．
図６は、この発明による冷蔵庫の実施の形態５を示している。この実施の形態では、冷却する必要がある電気部品６を搭載した制御用電気配線基板５に伸縮可能な弾性脚体１１が取り付けられ、カバー４の取付けにより、押し込み式に弾性脚体１１が収縮し、弾性脚体１１の弾性変形による反発力により制御用電気配線基板５上の電気部品６がカバー４に押し付けられる。
【００３２】
これにより、電気部品６とカバー４との密着性を高めることができ、効果的な冷却を行うことができる。
【００３３】
図示されている弾性脚体１１は、筒体１２に可動体１３が出入可能に嵌合し、圧縮コイルばね１４により可動体１３が突出側に付勢された構造のものであるが、弾性脚体はゴム脚体等であってもよい。
【００３４】
なお、電気部品６が、実施の形態２のように、冷蔵庫本体１側の板金２と接触配置される場合には、電気部品６は弾性脚体によって板金２に押し付けられればよい。
【００３５】
実施の形態６．
図７は、この発明による冷蔵庫の実施の形態６を示している。この実施の形態では、冷却する必要がある電気部品６が電気配線基板１５に搭載され、この電気配線基板１５が、電気部品６がカバー４と接触するように、カバー４に固定されており、他の制御用電気配線基板５とリード線などの導通接続部品１６に導通接続されている。
【００３６】
以上のように構成されているので、例えば、電気配線基板１５を小型のものにし、これをカバー４にねじ等の締結部品で固定した後に、冷蔵庫本体１側に設置された制御用電気配線基板５とリード線などの導通接続部品１６によって接続することができる。このため、電気部品６を確実にカバー４に固定することができる共に、また作業性の向上を図ることができる。
【００３７】
電気部品６は電気配線基板１５を用いず単品でカバー４に固定することもでき、この場合には、電気部品６がリード線などの導通接続部品によって制御用電気配線基板５あるいは他の電気部品に導通接続されればよく、電気配線基板１５を削減できる。
【００３８】
なお、この実施の形態は、実施の形態２のものにも同様に適用でき、電気部品６あるいは電気部品６を搭載した電気配線基板１５が冷蔵庫本体１側の板金２に固定されればよい。
【００３９】
実施の形態７．
図８は、この発明による冷蔵庫の実施の形態７を示している。この実施の形態は、冷却する必要がある電気部品６が弾性を有する導電性脚体１７を備えた電気配線基板１８に搭載され、電気配線基板１８が、電気部品６がカバー４と接触するように、カバー４に固定されており、導電性脚体１７によって他の電気配線基板５と導通接続されている。
【００４０】
この実施の形態では、カバー４の取付けにより、導電性脚体１７がたわみ、導電性脚体１７の弾性変形による反発力により電気配線基板１８上の電気部品６がカバー４に押し付けられる。
【００４１】
これにより、電気部品６とカバー４との密着性を高めることができ、効果的な冷却を行うことができる。この場合、制御用電気配線基板５の冷蔵庫本体１への取付構造も簡単となり、また基板を冷蔵庫本体１へ取付ける作業性も向上する。
【００４２】
なお、電気部品６が、実施の形態２のように、冷蔵庫本体１側の板金２と接触配置される場合には、電気部品６は導電性脚体１７によって板金２に押し付けられればよい。
【００４３】
実施の形態８．
図９は、この発明による冷蔵庫の実施の形態８を示している。この実施の形態では、カバー４の外表面にフィン状の凹凸１９が形成され、カバー４の放熱面積の拡大が図られている。
【００４４】
上述のように、外気に触れているカバー４の表面に凹凸１９を持たせてカバー４の放熱面積の拡大が図られているから、効果的な放熱が行われるようになる。
【００４５】
【発明の効果】
以上の説明から理解される如く、この発明による冷蔵庫によれば、冷蔵庫に組み込まれる制御用電気部品が冷蔵庫の制御用電気部品収納室を覆う金属製のカバーに直接もしくは高熱伝導性物質を介して接触するように配置され、金属製のカバーを制御用電気部品の放熱板として使用されるから、制御用電気部品の熱を金属製のカバーを通して放出して効果的な冷却を行うことができる。また、ヒートシンクのような冷却部品を使用せずに制御用電気部品の冷却ができるから、冷却部品の削減、冷却部品取付時のハンダの削減が可能となり、リサイクルの面でも利点がある。
【００４７】
つぎの発明による冷蔵庫によれば、カバーの外表面に凹凸が形成されているから、カバーの放熱面積の拡大が図られ、効果的な放熱が行われるようになる。
【００４９】
つぎの発明による冷蔵庫によれば、制御用電気部品がねじ等の締結手段によって金属製のカバーに固定されているから、制御用電気部品とカバーとの密着性を高めることができ、より効果的な冷却が可能となる。
【００５０】
つぎの発明による冷蔵庫によれば、制御用電気部品が金属製のカバーに形成された係止片により当該カバーに固定されているから、制御用電気部品とカバーとの密着性を高めることができ、より効果的な冷却が可能となり、併せて固定作業時の作業性の向上と固定部品の削減が図られる。
【００５１】
つぎの発明による冷蔵庫によれば、制御用電気部品が弾性脚体を備えた電気配線基板に搭載され、制御用電気部品が弾性脚体の弾性変形による反発力により金属製のカバーに押し付けられるから、制御用電気部品とカバーとの密着性を高めることができ、より効果的な冷却が可能になる。
【００５２】
つぎの発明による冷蔵庫によれば、冷却する必要がある制御用電気部品が金属製のカバーに固定され、前記制御用電気部品あるいは前記制御用電気部品を搭載した電気配線基板が他の電気部品あるいは他の電気配線基板とリード線などの導通接続部品により導通接続されるものであるから、冷却する必要がある制御用電気部品を搭載した電気配線基板をカバーにねじ等の締結部品で固定した後に、冷蔵庫本体側に設置された他の制御基板をリード線などの接続部品で接続でき、作業性の向上が図られ、また、カバーに電気配線基板をねじ等の締結部品で固定した後に冷蔵庫本体へ取付けるため、電気部品を確実にカバーに取付けることが可能になる。
【００５３】
つぎの発明による冷蔵庫は、冷却する必要がある制御用電気部品が弾性を有する導電性脚体を備えた電気配線基板に搭載され、導電性脚体によって他の電気配線基板と導通接続されると共に、制御用電気部品が前記導電性脚体の弾性変形による反発力により金属製のカバーに押し付けられるから、電気部品とカバーの密着性を高めることができ、電気配線基板の冷蔵庫本体への取付構造も簡単になり、基板を冷蔵庫本体へ取付ける作業性も向上する。
【図面の簡単な説明】
【図１】  この発明による冷蔵庫の実施の形態１の全体を示す断面図である。
【図２】  この発明による冷蔵庫の実施の形態１の要部を示す断面図である。
【図３】  この発明による冷蔵庫の実施の形態２の要部を示す断面図である。
【図４】  この発明による冷蔵庫の実施の形態３の要部を示す断面図である。
【図５】  この発明による冷蔵庫の実施の形態４の要部を示す斜視図である。
【図６】  この発明による冷蔵庫の実施の形態５の要部を示す断面図である。
【図７】  この発明による冷蔵庫の実施の形態６の要部を示す斜視図である。
【図８】  この発明による冷蔵庫の実施の形態７の要部を示す斜視図である。
【図９】  この発明による冷蔵庫の実施の形態８の要部を示す断面図である。
【図１０】  従来における冷蔵庫の制御用電気配線基板の配置部を示す断面図である。
【符号の説明】
１  冷蔵庫本体、２  板金、３  制御用電気部品収納室、４  カバー、５  制御用電気配線基板、６  制御用電気部品、７  基板固定部材、８  高熱伝導性物質、９  締結部品、１０  係止片、１１  弾性脚体、１５  電気配線基板、１６導通接続部品、１７  導電性脚体、１８  電気配線基板、１９  凹凸。
【図１】
0003704250.tif 000002
【図２】
0003704250.tif 000003
【図３】
0003704250.tif 000004
【図４】
0003704250.tif 000005
【図５】
0003704250.tif 000006
【図６】
0003704250.tif 000007
【図７】
0003704250.tif 000008
【図８】
0003704250.tif 000009
【図９】
0003704250.tif 000010
【図１０】
0003704250.tif 000011